【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
単一の送信機を有するユーザ機器（ＵＥ）内のワイヤレス通信の方法であって、
履歴無線周波数（ＲＦ）状態が所定のレベルを下回るとき、最良の利用可能な受信チェーンを第２の無線アクセス技術（ＲＡＴ）モデムに割り当てることによって、前記ＵＥの第１のＲＡＴモデムと前記第２のＲＡＴモデムとの間で第１の受信チェーンと第２の受信チェーンとを適応的に共有すること
を備える、方法。
【請求項２】
前記第１のＲＡＴモデムが前記第１の受信チェーンと前記第２の受信チェーンとを使用する間に、第２のＲＡＴセル探索を実行すること
をさらに備える、請求項１に記載の方法。
【請求項３】
クイックページングインジケータを監視することを起動することなしにページングインジケータを復号すること
をさらに備える、請求項１に記載の方法。
【請求項４】
適応的に共有することは、
前記第１の受信チェーンの信号品質が前記第２の受信チェーンの信号品質よりも高いとき、前記第２のＲＡＴモデムに前記第１の受信チェーンを割り当てること
を備える、請求項１に記載の方法。
【請求項５】
適応的に共有することは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
を備える、請求項１に記載の方法。
【請求項６】
第２のＲＡＴページを監視するために第２のＲＡＴチューンアウェイを実行することより前に第１のＲＡＴ間欠受信（ＤＲＸ）サイクルを増加させること
をさらに備える、請求項１に記載の方法。
【請求項７】
適応的に共有することは、
前記単一の無線ＵＥが第１のＲＡＴカバレージのエッジにまたはその近くにあるとき、前記第１のＲＡＴモデムに前記第１の受信チェーンと前記第２の受信チェーンとを周期的に割り当てること
を備える、請求項１に記載の方法。
【請求項８】
適応的に共有することは、
第１のＲＡＴページ受信と第２のＲＡＴページ受信とが所定のレベル以下に低下したとき、前記第１のＲＡＴから、複数のＲＡＴ上で通信するＲＡＴハイブリッドモードに遷移すること、前記ＲＡＴハイブリッドモードがデータおよびボイス通信を可能にし、
を備える、請求項１に記載の方法。
【請求項９】
第２のＲＡＴページと第１のＲＡＴページとの間の衝突を回避するために起動スロットを指定すること
をさらに備える、請求項１に記載の方法。
【請求項１０】
適応的に共有することは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
を備える、請求項１に記載の方法。
【請求項１１】
適応的に共有することは、
第２のＲＡＴページが第２のＲＡＴチューンアウェイ中に受信されたとき前記第１のＲＡＴモデムを中断することと、
前記第２のＲＡＴページに応答することと
を備える、請求項１に記載の方法。
【請求項１２】
適応的に共有することが、
前記第１の受信チェーンを第２のＲＡＴ接続モードで使用して第２のＲＡＴボイスコール中に前記第１のＲＡＴモデムを中断することと、
前記第１のＲＡＴモデムに前記第２の受信チェーンを割り当てることと
を備える、請求項１に記載の方法。
【請求項１３】
前記第１のＲＡＴがロングタームエボリューション（ＬＴＥ）であり、前記第２のＲＡＴがＣＤＭＡ２０００である、請求項１に記載の方法。
【請求項１４】
単一の送信機を有するユーザ機器（ＵＥ）内でのワイヤレス通信のための装置であって、
請求項１乃至１３のいずれか１項に記載の方法を実行するための手段を備える、装置。
【請求項１５】
単一の送信機を有するユーザ機器（ＵＥ）内でのワイヤレス通信のために構成されたコンピュータプログラム製品であって、前記コンピュータプログラム製品が、
請求項１乃至１３のいずれか１項に記載の方法を実行するための非一時的プログラムコードを記録したコンピュータ可読媒体を備える、コンピュータプログラム製品。
【手続補正２】
【補正対象書類名】明細書
【補正対象項目名】００８８
【補正方法】変更
【補正の内容】
【００８８】
［0091]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］単一の無線ユーザ機器（ＵＥ）内のワイヤレス通信の方法であって、
前記単一の無線ＵＥの第１の無線アクセス技術（ＲＡＴ）モデムと第２のＲＡＴモデムとの間で第１の受信チェーンと第２の受信チェーンとを適応的に共有すること
を備える、方法。
［Ｃ２］前記第１のＲＡＴモデムが前記第１の受信チェーンと前記第２の受信チェーンとを使用する間に、第２のＲＡＴセル探索を部分的にオフラインで実行すること
をさらに備える、Ｃ１に記載の方法。
［Ｃ３］事前に起動することなしにページングインジケータを復号すること
をさらに備える、Ｃ１に記載の方法。
［Ｃ４］適応的に共有することは、
前記第１の受信チェーンの信号品質が前記第２の受信チェーンの信号品質よりも高いとき、前記第２のＲＡＴモデムに前記第１の受信チェーンを割り当てること
を備える、Ｃ１に記載の方法。
［Ｃ５］適応的に共有することは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
を備える、Ｃ１に記載の方法。
［Ｃ６］適応的に共有することが履歴無線周波数状態に基づく、Ｃ１に記載の方法。
［Ｃ７］前記履歴無線周波数状態が所定のレベルを下回るとき、最良の利用可能な受信チェーンが前記第２のＲＡＴモデムに割り当てられる、Ｃ６に記載の方法。
［Ｃ８］第２のＲＡＴページを監視するために第２のＲＡＴチューンアウェイを実行することより前に第１のＲＡＴ間欠受信（ＤＲＸ）サイクルを増加させること
をさらに備える、Ｃ１に記載の方法。
［Ｃ９］適応的に共有することは、
前記単一の無線ＵＥが第１のＲＡＴネットワークのエッジにまたはその近くにあるとき、前記第１のＲＡＴモデムに前記第１の受信チェーンと前記第２の受信チェーンとを周期的に割り当てること
を備える、Ｃ１に記載の方法。
［Ｃ１０］適応的に共有することは、
第１のＲＡＴページ受信と第２のＲＡＴページ受信とが所定のレベル以下に低下したとき、前記第１のＲＡＴから、複数のＲＡＴ上で通信する第２のＲＡＴハイブリッドモードに遷移することであって、前記第２のＲＡＴハイブリッドモードがデータおよびボイス通信を可能にする、遷移すること
を備える、Ｃ１に記載の方法。
［Ｃ１１］第２のＲＡＴページと第１のＲＡＴページとの間の衝突を回避するために好適な起動スロットを指定すること
をさらに備える、Ｃ１に記載の方法。
［Ｃ１２］適応的に共有することは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
を備える、Ｃ１に記載の方法。
［Ｃ１３］前記第１のＲＡＴ接続モードにある間第２のＲＡＴページを監視するために第２のＲＡＴチューンアウェイを実行することより前に不十分なチャネル品質を報告すること
をさらに備える、Ｃ１に記載の方法。
［Ｃ１４］前記第２のＲＡＴページが前記第２のＲＡＴチューンアウェイ中に検出されないとき前記第１のＲＡＴ接続モードへの復帰をランプアップするために、報告されたチャネル品質を所定の量だけ増加させること
をさらに備える、Ｃ１３に記載の方法。
［Ｃ１５］適応的に共有することは、
第２のＲＡＴページが第２のＲＡＴチューンアウェイ中に受信されたとき前記第１のＲＡＴを中断することと、
前記第１の受信チェーンと前記第２の受信チェーンとを使用して前記第２のＲＡＴページに応答することと
を備える、Ｃ１に記載の方法。
［Ｃ１６］前記第１のＲＡＴを中断することが、
無線リンク障害を呼び出すために第１のＲＡＴスタックを中断すること
をさらに備える、Ｃ１５に記載の方法。
［Ｃ１７］前記第１のＲＡＴを中断することが、
第１のＲＡＴスタックを中断することより前に要求を発行すること
をさらに備える、Ｃ１５に記載の方法。
［Ｃ１８］第１のＲＡＴ接続モードにあるときに、第２のＲＡＴチューンアウェイ中に前記第１のＲＡＴをバッファするために、接続モード間欠受信（ＤＲＸ）サイクルを構成することをさらに備える、Ｃ１に記載の方法。
［Ｃ１９］適応的に共有することが、第１のＲＡＴ接続モードにある間、第２のＲＡＴチューンアウェイ中に単一のランクデバイスとして動作することを備える、Ｃ１に記載の方法。
［Ｃ２０］適応的に共有することが、
前記第１の受信チェーンを第２のＲＡＴ接続モードで使用して第２のＲＡＴボイスコール中に前記第１のＲＡＴを中断することと、
前記第１のＲＡＴモデムに前記第２の受信チェーンを割り当てることと
を備える、Ｃ１に記載の方法。
［Ｃ２１］前記第１のＲＡＴを中断することより前に第１のＲＡＴコンテキストを中断するための要求を発行することをさらに備える、Ｃ２０に記載の方法。
［Ｃ２２］前記第１のＲＡＴがロングタームエボリューション（ＬＴＥ）を備え、前記第２のＲＡＴがＣＤＭＡ２０００を備える、Ｃ１に記載の方法。
［Ｃ２３］単一の無線ユーザ機器（ＵＥ）内でのワイヤレス通信のための装置であって、
前記単一の無線ＵＥを動作させるための手段と、
前記単一の無線ＵＥの第１の無線アクセス技術（ＲＡＴ）モデムと第２のＲＡＴモデムとの間で第１の受信チェーンと第２の受信チェーンとを適応的に共有するための手段と
を備える、装置。
［Ｃ２４］単一の無線ユーザ機器（ＵＥ）内でのワイヤレス通信のために構成されたコンピュータプログラム製品であって、前記コンピュータプログラム製品が、
非一時的プログラムコードを記録したコンピュータ可読媒体を備え、前記プログラムコードが、
前記単一の無線ＵＥの第１の無線アクセス技術（ＲＡＴ）モデムと第２のＲＡＴモデムとの間で第１の受信チェーンと第２の受信チェーンとを適応的に共有するためのプログラムコード
を備える、コンピュータプログラム製品。
［Ｃ２５］メモリと、
前記メモリに結合された少なくとも１つのプロセッサと
を備える、単一の無線ユーザ機器（ＵＥ）内でのワイヤレス通信のために構成された装置であって、前記少なくとも１つのプロセッサが、
前記単一の無線ＵＥの第１の無線アクセス技術（ＲＡＴ）モデムと第２のＲＡＴモデムとの間で第１の受信チェーンと第２の受信チェーンとを適応的に共有する
ように構成された、装置。
［Ｃ２６］前記プロセッサは、
前記第１のＲＡＴモデムが前記第１の受信チェーンと前記第２の受信チェーンとを使用する間に、第２のＲＡＴセル探索を部分的にオフラインで実行する
ようにさらに構成された、Ｃ２５に記載の装置。
［Ｃ２７］前記プロセッサが、
事前に起動することなしにページングインジケータを復号する
ようにさらに構成された、Ｃ２５に記載の装置。
［Ｃ２８］前記プロセッサは、
前記第１の受信チェーンの信号品質が前記第２の受信チェーンの信号品質よりも高いとき、前記第２のＲＡＴモデムに前記第１の受信チェーンを割り当てること
によって適応的に共有するようにさらに構成された、Ｃ２５に記載の装置。
［Ｃ２９］前記プロセッサは、
前記第１の受信チェーンの信号品質が前記第２の受信チェーンの信号品質よりも高く、前記第１の受信チェーンの信号品質と前記第２の受信チェーンの信号品質とが所定の値よりも大きいとき、前記第１のＲＡＴモデムに前記第１の受信チェーンを割り当てること
によって適応的に共有するようにさらに構成された、Ｃ２５に記載の装置。
［Ｃ３０］前記プロセッサが、履歴無線周波数状態に基づいて適応的に共有するようにさらに構成された、Ｃ２５に記載の装置。
［Ｃ３１］前記履歴無線周波数状態が所定のレベルを下回るとき、最良の利用可能な受信チェーンが前記第２のＲＡＴモデムに割り当てられる、Ｃ３０に記載の装置。
［Ｃ３２］前記プロセッサが、
第２のＲＡＴページを監視するために第２のＲＡＴチューンアウェイを実行することより前に第１のＲＡＴ間欠受信（ＤＲＸ）サイクルを増加させる
ようにさらに構成された、Ｃ２５に記載の装置。
［Ｃ３３］前記プロセッサは、
前記単一の無線ＵＥが第１のＲＡＴネットワークのエッジにまたはその近くにあるとき、前記第１のＲＡＴモデムに前記第１の受信チェーンと前記第２の受信チェーンとを周期的に割り当てること
によって適応的に共有するようにさらに構成された、Ｃ２５に記載の装置。
［Ｃ３４］前記プロセッサは、
第１のＲＡＴページ受信と第２のＲＡＴページ受信とが所定のレベル以下に低下したとき、前記第１のＲＡＴから、複数のＲＡＴ上で通信する第２のＲＡＴハイブリッドモードに遷移することであって、前記第２のＲＡＴハイブリッドモードがデータおよびボイス通信を可能にする、遷移すること
によって適応的に共有するようにさらに構成された、Ｃ２５に記載の装置。
［Ｃ３５］前記プロセッサが、
第２のＲＡＴページと第１のＲＡＴページとの間の衝突を回避するために好適な起動スロットを指定する
ようにさらに構成された、Ｃ２５に記載の装置。
［Ｃ３６］前記プロセッサは、
前記第１のＲＡＴモデムが第１のＲＡＴ接続モードにあるときに前記第１の受信チェーンを使用する間、第２のＲＡＴページを検出するために前記第２のＲＡＴモデムに前記第２の受信チェーンを割り当てること
によって適応的に共有するようにさらに構成された、Ｃ２５に記載の装置。
［Ｃ３７］前記プロセッサが、
前記第１のＲＡＴ接続モードにある間第２のＲＡＴページを監視するために第２のＲＡＴチューンアウェイを実行することより前に不十分なチャネル品質を報告する
ようにさらに構成された、Ｃ３６に記載の装置。
［Ｃ３８］前記プロセッサは、
前記第２のＲＡＴページが前記第２のＲＡＴチューンアウェイ中に検出されないとき前記第１のＲＡＴ接続モードへの復帰をランプアップするために、報告されたチャネル品質を所定の量だけ増加させる
ようにさらに構成された、Ｃ３７に記載の装置。
［Ｃ３９］前記プロセッサは、
第２のＲＡＴページが第２のＲＡＴチューンアウェイ中に受信されたとき前記第１のＲＡＴを中断することと、
前記第１の受信チェーンと前記第２の受信チェーンとを使用して前記第２のＲＡＴページに応答することと
によって適応的に共有するようにさらに構成された、Ｃ２５に記載の装置。
［Ｃ４０］前記プロセッサが、
無線リンク障害を呼び出すために第１のＲＡＴスタックを中断すること
によって前記第１のＲＡＴをさらに中断するようにさらに構成された、Ｃ３９に記載の装置。
［Ｃ４１］前記プロセッサが、
第１のＲＡＴスタックを中断することより前に要求を発行すること
によって前記第１のＲＡＴを中断するようにさらに構成された、Ｃ３９に記載の装置。
［Ｃ４２］前記プロセッサが、第１のＲＡＴ接続モードにあるときに、第２のＲＡＴチューンアウェイ中に前記第１のＲＡＴをバッファするために、接続モード間欠受信（ＤＲＸ）サイクルを構成するようにさらに構成された、Ｃ２５に記載の装置。
［Ｃ４３］前記プロセッサが、第１のＲＡＴ接続モードにある間、第２のＲＡＴチューンアウェイ中に単一のランクデバイスとして動作することによって適応的に共有するようにさらに構成された、Ｃ２５に記載の装置。
［Ｃ４４］前記プロセッサが、
前記第１の受信チェーンを第２のＲＡＴ接続モードで使用して第２のＲＡＴボイスコール中に前記第１のＲＡＴを中断することと、
前記第１のＲＡＴモデムに前記第２の受信チェーンを割り当てることと
によって適応的に共有するようにさらに構成された、Ｃ２５に記載の装置。
［Ｃ４５］前記プロセッサが、前記第１のＲＡＴを中断することより前に第１のＲＡＴコンテキストを中断するための要求を発行するようにさらに構成された、Ｃ４４に記載の装置。
［Ｃ４６］前記第１のＲＡＴがロングタームエボリューション（ＬＴＥ）を備え、前記第２のＲＡＴがＣＤＭＡ２０００を備える、Ｃ２５に記載の装置。